(57)【要約】【課題】電子機器を衛生に保管できる収納什器を提供する。【解決手段】本考案の収納什器１００は、携帯可能な電子機器Ｄを収納可能な収納空間Ｓが内部に形成された筐体１０と、筐体１０内に設けられ、収納空間Ｓを上下方向に区画して複数の第１空間Ｓ１を形成するとともに、電子機器Ｄを載置可能な棚板２０と、棚板２０に設けられ、第１空間Ｓ１を左右方向に区画して、電子機器Ｄを配置可能な複数の第２空間Ｓ２を形成する電子機器トレー３０と、を備え、収納空間Ｓには、収納空間Ｓに紫外線Ｕを放出する紫外線照射部５２が、前後方向から見て複数の第２空間Ｓ２を左右方向にまたがって配置されている。【選択図】図２
0003229789.tif 000002
【実用新案登録請求の範囲】
【請求項１】
携帯可能な電子機器を収納可能な収納空間が内部に形成された筐体と、
前記筐体内に設けられ、前記収納空間を上下方向に区画して複数の第１空間を形成するとともに、前記電子機器を載置可能な棚板と、
前記棚板に設けられ、前記第１空間を前記上下方向に交差する第１方向に区画して、前記電子機器を配置可能な複数の第２空間を形成する仕切り部材と、を備え、
前記収納空間には、前記収納空間に紫外線を放出する紫外線照射部が、前記上下方向及び前記第１方向に交差する第２方向から見て複数の前記第２空間を前記第１方向にまたがって配置されている収納什器。
【請求項２】
前記紫外線照射部は、前記第１空間ごとに設けられている請求項１に記載の収納什器。
【請求項３】
前記棚板のうち少なくとも表面は、前記仕切り部材よりも紫外線の反射率が高い材料で形成され、
前記仕切り部材は、前記棚板よりも紫外線の透過率が高い材料で形成されている請求項１又は請求項２に記載の収納什器。
【請求項４】
前記仕切り部材には、前記仕切り部材を貫通する貫通孔が形成されている請求項１から請求項３のいずれか１項に記載の収納什器。
【請求項５】
前記筐体は、
前記第２方向の第１側に開口して前記電子機器を出し入れ可能な第１開口、及び前記第２方向の第２側に開口する第２開口を有する筐体本体と、
前記第１開口を開閉する第１開閉部と、
前記第２開口を開閉する第２開閉部と、を備え、
前記紫外線照射部は、前記筐体本体における前記第２方向の中心に対して前記第２開口寄りに配置されている請求項１から請求項４のいずか１項に記載の収納什器。
【考案の詳細な説明】
【技術分野】
【０００１】
本考案は、収納什器に関する。
【背景技術】
【０００２】
複数の電子機器を収納するための収納什器として、例えば下記特許文献１に記載された構成が開示されている。
ところで、学校等の教室では、生徒がそれぞれノートパソコン、タブレット端末等の携帯可能な電子機器を使用して授業が行われる場合がある。電子機器は、未使用時においてロッカー等の収納什器に一括で収納されており、使用時において生徒が収納什器から取り出して各自机の上で使用するのが一般的である。
【先行技術文献】
【特許文献】
【０００３】
【特許文献１】特開２０１６−１０８１２２号公報
【考案の概要】
【考案が解決しようとする課題】
【０００４】
収納什器に一括して収納される複数の電子機器は、不特定多数の人に使用される。電子機器は、不特定多数の使用者に触れられることにより、電子機器の表面に細菌やウイルスが付着する場合がある。さらに、細菌やウイルスが付着した電子機器を他の使用者が使用することにより、他の使用者に細菌やウイルスが付着する可能性があった。このため、電子機器を衛生に保管できる収納什器の開発が望まれていた。
【０００５】
そこで、本考案は、電子機器を衛生に保管できる収納什器を提供する。
【課題を解決するための手段】
【０００６】
上記目的を達成するために、本考案の一態様に係る収納什器は、携帯可能な電子機器を収納可能な収納空間が内部に形成された筐体と、前記筐体内に設けられ、前記収納空間を上下方向に区画して複数の第１空間を形成するとともに、前記電子機器を載置可能な棚板と、前記棚板に設けられ、前記第１空間を前記上下方向に交差する第１方向に区画して、前記電子機器を配置可能な複数の第２空間を形成する仕切り部材と、を備え、前記収納空間には、前記収納空間に紫外線を放出する紫外線照射部が、前記上下方向及び前記第１方向に交差する第２方向から見て複数の前記第２空間を前記第１方向にまたがって配置されている。
【０００７】
本態様によれば、各第２空間に電子機器を収納することで、収納空間に多くの電子機器を整理して収納できる。
また、本態様によれば、第２空間に電子機器が配置された状態で、紫外線照射部から紫外線を放出させることで、電子機器に紫外線が照射される。これにより、収納空間に収納された電子機器を殺菌できるので、電子機器を衛生に保管できる。
紫外線照射部は、第１空間において複数の第２空間に第１方向にまたがって配置されている。これにより、紫外線照射部は、複数の第２空間に配置された電子機器に対して効率的に紫外線を照射できる。
【０００８】
上記態様の収納什器において、前記紫外線照射部は、前記第１空間ごとに設けられていてもよい。
本態様によれば、各第１空間に設けられた紫外線照射部から紫外線を放出させることで各第１空間に対して紫外線を効率的に行き渡らせることができる。したがって、本態様の収納什器では、第１空間を形成するために棚板が設けられた場合であっても、各第１空間に収納された電子機器に紫外線を均一に照射できる。よって、収納什器は、電子機器をより確実に殺菌できるので、電子機器をより衛生に保管できる。
【０００９】
上記態様の収納什器において、前記棚板のうち少なくとも表面は、前記仕切り部材よりも紫外線の反射率が高い材料で形成され、前記仕切り部材は、前記棚板よりも紫外線の透過率が高い材料で形成されていてもよい。
本態様によれば、紫外線照射部から放出された紫外線は、仕切り部材を透過する。これにより、収納什器は、第２空間に配置された電子機器のうち、紫外線の放出方向から見て仕切り部材と重なる部分に対しても紫外線を照射できる。
また、本態様によれば、紫外線照射部から放出された紫外線は、棚板の表面で反射される。これにより、収納什器は、例えば仕切り部材を透過して棚板に到達した紫外線を再び第１空間に戻すことができる。したがって、収納什器は、電子機器のうち棚板と対向する面等にも紫外線を照射できる。
よって、紫外線の死角となる部分を考慮しなくてもいいので、仕切り部材の寸法設定を自由に行える。この場合、例えば仕切り部材が電子機器を安定して支持できるように、仕切り部材を設計できる。
【００１０】
上記態様の収納什器において、前記仕切り部材には、前記仕切り部材を貫通する貫通孔が形成されていてもよい。
本態様によれば、紫外線照射部から放出された紫外線は、貫通孔を通して仕切り部材を通過する。これにより、収納什器は、第２空間に配置された電子機器のうち、紫外線の放出方向で仕切り部材と重なる部分に対しても紫外線を照射できる。
【００１１】
上記態様の収納什器において、前記筐体は、前記第２方向の第１側に開口して前記電子機器を出し入れ可能な第１開口、及び前記第２方向の第２側に開口する第２開口を有する筐体本体と、前記第１開口を開閉する第１開閉部と、前記第２開口を開閉する第２開閉部と、を備え、前記紫外線照射部は、前記筐体本体における前記第２方向の中心に対して前記第２開口寄りに配置されていてもよい。
本態様によれば、収納什器は、紫外線が放出されている間は、第１開口及び第２開口を閉塞して、紫外線が収納什器の外部に漏出することを抑制できる。
紫外線照射部は、筐体本体における第２方向の中心に対して第２開口寄りに配置されている。これにより、収納什器は、電子機器が第１開口から出し入れされる際に、電子機器が紫外線照射部に干渉することを抑制できる。また、収納什器の使用者は、収納空間に配置されている電子機器を取り出すことなく第２開口から紫外線照射部を出し入れできる。これにより、収納什器の使用者は、紫外線照射部を容易にメンテナンスできる。
【考案の効果】
【００１２】
上記各態様によれば、電子機器を衛生に保管できる収納什器を提供することができる。
【図面の簡単な説明】
【００１３】
【図１】本考案の実施形態に係る収納什器の斜視図である。
【図２】本考案の実施形態に係る収納什器の第１開閉部を開いた状態の正面図である。
【図３】本考案の実施形態に係る収納什器の内部構造を示す側面図である。
【図４】本考案の実施形態に係る電子機器トレー（仕切り部材）の斜視図である。
【考案を実施するための形態】
【００１４】
以下、本考案の実施形態について説明する。
図１は、本考案の実施形態に係る収納什器１００の斜視図である。図２は、本考案の実施形態に係る収納什器１００の第１開閉部１４を開いた状態の正面図である。図３は、本考案の実施形態に係る収納什器１００の内部構造を示す側面図である。
図１から図３に示すように、収納什器１００は、収納什器本体１と、キャスター２と、操作部３と、を備えている。
便宜上、収納什器１００の高さ方向を上下方向と称し、収納什器１００の幅方向（図２に示す紙面左右方向）を左右方向（第１方向）と称し、収納什器１００の奥行方向（図３に示す紙面左右方向）を前後方向（第２方向）と称することがある。以下、各図面において、上方の矢印をＵＰ、前方の矢印をＦＲ、左方の矢印をＬＨと図示する。
【００１５】
（収納什器本体１）
収納什器本体１は、内部に携帯可能な電子機器Ｄが収納可能な収納空間Ｓを有する筐体１０と、筐体１０内に設けられる棚板２０と、棚板２０に取り付けられる電子機器トレー３０と、電子機器Ｄに電気を供給するためのケーブルＣ等が収容される配線トレー４０と、筐体１０内に設けられ、収納空間Ｓ内に紫外線Ｕを照射する紫外線照射装置５０と、を備えている。電子機器Ｄは、例えばタブレット端末やノートパソコン等である。
【００１６】
（筐体１０）
筐体１０は、直方体状に形成されている。筐体１０は、筐体本体１０ａと、第１開閉部１４と、第２開閉部１５と、を備えている。
筐体本体１０ａは、前後方向に開口する矩形筒状に形成されている。筐体本体１０ａは、底板１１と、側板１２と、天板１３と、を有している。
【００１７】
底板１１は、床面に沿って設けられている。底板１１は、平面視矩形状に形成されている。底板１１には、床面上を走行移動自在なキャスター２が設けられている。これにより、収納什器１００は、床面上を走行可能とされている。
【００１８】
側板１２は、底板１１の左右方向両端部からそれぞれ上方に向けて立設している。側板１２は、側面視矩形状に形成されている。側板１２の上部及び下部には、側板１２を貫通する放熱開口部１２Ａが複数形成されている。放熱開口部１２Ａは、収納空間Ｓ内の熱を放熱するための放熱孔である。一方の側板１２には、操作部３が設けられている。操作部３は、使用者が把持可能な棒状に形成されている。
天板１３は、左右両側板１２の上端部間に架け渡されている。天板１３は、平面視矩形状に形成されている。
【００１９】
筐体本体１０ａにおいて、底板１１の前端部、側板１２の前端部及び天板１３の前端部により、第１開口Ｋ１が形成されている。第１開口Ｋ１は、前方（第２方向の第１側）に開口している。第１開口Ｋ１は、主に電子機器Ｄを出し入れするための開口である。
【００２０】
第１開閉部１４は、第１開口Ｋ１を開閉する。第１開閉部１４は、左右一対の第１パネル１４Ａを有している。各第１パネル１４Ａは、蝶番（不図示）を介して側板１２に回動可能に取り付けられている。各第１パネル１４Ａの上部及び下部には、第１パネル１４Ａを貫通する放熱開口部１４Ｂが複数形成されている。放熱開口部１４Ｂは、収納空間Ｓ内の熱を放熱するための放熱孔である。第１開閉部１４は、上下方向や左右方向にスライド移動可能に設けられてもよく、棚板２０から取り外し可能に設けられてもよい。
【００２１】
筐体本体１０ａにおいて、底板１１の後端部、側板１２の後端部及び天板１３の後端部により、第２開口Ｋ２が形成されている。第２開口Ｋ２は、後方（第２方向の第２側）に開口している。第２開口Ｋ２は、主に収納什器１００をメンテナンスするための開口である。
【００２２】
第２開閉部１５は、第２開口Ｋ２を開閉する。第２開閉部１５の上部には、第２開閉部１５を貫通する放熱開口部（不図示）が複数形成されている。放熱開口部は、収納空間Ｓ内の熱を放熱するための放熱孔である。
【００２３】
側板１２の後部の下部には、対向する側板１２に向かって延びる軸部１２ａが設けられている。第２開閉部１５は、側板１２の軸部１２ａを中心に回動可能に取り付けられている。第２開閉部１５は、第２開口Ｋ２を閉塞するように鉛直方向に沿って配置された状態で、例えば天板１３に設けられた係合部（不図示）に係合することで、閉塞した状態が維持される。第２開閉部１５は、天板１３の係合部との係合を解除して、第２開閉部１５を側板１２の軸部１２ａを中心に回動させて、側板１２から取り外し可能に構成されている。第２開閉部１５は、スライド移動や回動等によって第２開口Ｋ２を開閉するように設けられてもよい。
第２開閉部１５の下端は、底板１１に対して上方に位置している。すなわち、第２開閉部１５の下端と底板１１との間は、ケーブルの引出口１５ａとなっている。
筐体本体１０ａと、第１開閉部１４と、第２開閉部１５とによって囲まれることにより、収納空間Ｓが形成されている。
【００２４】
（棚板２０）
棚板２０は、上下方向に離間して複数（本実施形態では３枚）設けられている。棚板２０は、左右両側板１２に左右方向に架け渡されている。棚板２０は、収納空間Ｓを左右方向全体にわたって上下方向に区画し、棚板２０の上方及び下方に第１空間Ｓ１を形成している。第１空間Ｓ１は、棚板２０同士の間に形成された複数の電子機器Ｄが配置される空間である。棚板２０の後端部は、第２開閉部１５から前方に離間している。各棚板２０の後端部と第２開閉部１５との間に形成される空間は、隣り合う第１空間Ｓ１同士を上下方向に連通させる連通空間Ｓ３である。
【００２５】
（電子機器トレー３０）
電子機器トレー３０は、棚板２０に複数載置されている。各電子機器トレー３０は、棚板２０に対して着脱可能に設けられている。より具体的には、電子機器トレー３０は、第１開口Ｋ１から出し入れ可能とされている。すなわち、電子機器トレー３０では、棚板２０に載置された状態を装着状態とし、棚板２０から離間した状態を取り外し状態としている。但し、電子機器トレー３０は、装着状態において、棚板２０等に係合されていてもよい。本実施形態において、電子機器トレー３０は、各棚板２０上に１つ、又は左右方向に複数並んで配置可能である。
【００２６】
図４は、本考案の実施形態に係る電子機器トレー３０の斜視図である。
図４に示すように、電子機器トレー３０は、上方が開口された箱状に形成されている。電子機器トレー３０は、底板３１と、底板３１の外周縁から上方に延びる周壁３２と、を備えている。
【００２７】
底板３１には、上下方向に貫通する貫通孔３１ａが複数形成されている。貫通孔３１ａは、電子機器トレー３０内に収容される電子機器Ｄの熱を放出したり、紫外線照射装置５０から放出される紫外線Ｕを透過させたりするためのものである。
【００２８】
底板３１には、上方に向かって立設された仕切り板３５が左右方向に離間して複数設けられている。これにより、左右方向端部に設けられた仕切り板３５と周壁３２のうち左右方向の両側に位置する側壁３４との間、及び隣接する仕切り板３５同士の間は、それぞれ電子機器Ｄを配置可能な第２空間Ｓ２とされている。換言すると、電子機器トレー３０は、側壁３４及び仕切り板３５によって、第１空間Ｓ１を左右方向に区画して第２空間Ｓ２を複数形成している。本実施形態では、１個の電子機器トレー３０につき、５個の第２空間Ｓ２が形成されている。
【００２９】
図２及び図３に示すように、各第２空間Ｓ２には、電子機器Ｄが例えば１つずつ収納可能である。電子機器Ｄは、第２空間Ｓ２において、一方の仕切り板３５（又は側壁３４）に凭れ掛けた状態で収納されている。
側壁３４には、貫通孔３４ａが形成されている。貫通孔３４ａは、電子機器トレー３０を把持したり、紫外線照射装置５０から放出される紫外線Ｕを透過させたりするためのものである。
【００３０】
筐体１０内における連通空間Ｓ３には、上下方向に離間して複数の支持バー６が設けられている。支持バー６は、棚板２０よりも上方かつ後方に設けられている。すなわち、支持バー６は、連通空間Ｓ３において、上下方向で各第１空間Ｓ１に対応する位置ごとに設けられている。各支持バー６は、左右両側板１２間に架け渡されている。各支持バー６の上面には、それぞれ電源タップ４が設けられている。図２では、支持バー６及び電源タップ４は省略されている。
【００３１】
筐体１０内において最上段の棚板２０の上方には、上段棚板２１が設けられている。上段棚板２１は、左右両側板１２に左右方向に架け渡されている。上段棚板２１には、充電器５が載置されている。充電器５のケーブル（不図示）は、引出口１５ａから収納什器１００の外側に引き出され、収納什器１００の外側に設けられたコンセント（不図示）に接続されている。充電器５は、ケーブル（不図示）を介して各電源タップ４に電気的に接続されている。各電源タップ４には、収納空間Ｓ内に配置された電子機器ＤのケーブルＣが接続される。電子機器Ｄには、ケーブルＣ及び電源タップ４を介して充電器５が接続される。
【００３２】
（配線トレー４０）
配線トレー４０は、上段棚板２１及び上から１段目、２段目の棚板２０の下方に配置されている。配線トレー４０は、左右方向に延びるとともに上方が開口された箱状に形成されている。配線トレー４０は、左右両側板１２に架け渡されている。
配線トレー４０内には、電子機器Ｄに接続されるケーブルＣが配置される。電子機器Ｄは、コネクタ受を前方に向けて配置される。ケーブルＣは、電子機器Ｄのコネクタ受から延びて配線トレー４０の前壁４１に設けられた挿通孔４１ａを通り、配線トレー４０内に収容されている。配線トレー４０内に収容されたケーブルＣは、配線トレー４０の後壁４２に設けられた挿通孔（不図示）を通り、電源タップ４に接続されている。
【００３３】
（紫外線照射装置５０）
紫外線照射装置５０は、各支持バー６に１個ずつ設けられている。すなわち、紫外線照射装置５０は、連通空間Ｓ３において、上下方向で各第１空間Ｓ１に対応する位置ごとに配置されている。より具体的には、各紫外線照射装置５０は、各第１空間Ｓ１内において、棚板２０よりも上方かつ後方に設けられている。紫外線照射装置５０は、ホルダ５１と、ホルダ５１に保持される紫外線照射部５２と、を有している。
ホルダ５１は、支持バー６の下面に取り付けられている。ホルダ５１の左右両端部には、それぞれソケット５１ａが設けられている。
【００３４】
紫外線照射部５２は、例えば紫外線ランプである。紫外線照射部５２は、紫外線Ｕを収納空間Ｓに放出する。紫外線照射部５２から放出される紫外線Ｕは、例えばＵＶ−Ｃ（波長が２８０ｎｍ未満の紫外線）であることが望ましい。
【００３５】
紫外線照射部５２は、左右方向に延びる管状に形成されている。紫外線照射部５２は、連通空間Ｓ３において、上下方向で各第１空間Ｓ１に対応する位置ごとに配置されている。紫外線照射部５２は、第１空間Ｓ１において複数の第２空間Ｓ２にまたがって配置されている。本実施形態では、紫外線照射部５２は、複数の電子機器トレー３０にまたがって配置されている。紫外線照射部５２の左右方向の両端部は、それぞれ収納空間Ｓの左右方向の両端部に位置している。
【００３６】
各紫外線照射部５２は、筐体本体１０ａにおける前後方向の中心に対して第２開口Ｋ２寄りに配置されている。より具体的には、各紫外線照射部５２は、各第１空間Ｓ１内において、棚板２０よりも上方かつ後方に設けられている。紫外線照射部５２は、両端部がソケット５１ａにそれぞれ着脱可能に取り付けられることにより、ホルダ５１に支持されている。紫外線照射部５２は、交換時に、主に第２開口Ｋ２から出し入れされる。
【００３７】
紫外線照射部５２は、蛍光灯や冷陰極管であってもよく、ＬＥＤ（Ｌｉｇｈｔ  Ｅｍｉｔｔｉｎｇ  Ｄｉоｄｅ）であってもよい。ＬＥＤを採用する場合には、複数のＬＥＤが左右方向に並ぶことで、複数の第２空間Ｓ２をまたがって配置されていることが好ましい。
【００３８】
以下、収納什器本体１の各部材を構成する材料について詳細に説明する。
筐体本体１０ａ、第１開閉部１４及び第２開閉部１５は、紫外線Ｕを透過しにくい材料によって形成されている。筐体本体１０ａ、第１開閉部１４及び第２開閉部１５は、例えば鋼（鉄）やステンレス、アルミニウム等によって形成されている。このため、収納什器１００は、紫外線Ｕが収納什器１００の外部に漏出することを抑制できる。
【００３９】
棚板２０、上段棚板２１及び配線トレー４０は紫外線Ｕを反射可能な材料で形成されている。より詳細には、棚板２０、上段棚板２１及び配線トレー４０は、電子機器トレー３０よりも紫外線Ｕの反射率が高い材料で形成されている。本実施形態において、紫外線Ｕを反射可能な材料とは、紫外線Ｕの反射率が例えば８０％以上の材料である。棚板２０、上段棚板２１及び配線トレー４０は、例えばステンレスやアルミニウム等によって形成されている。
【００４０】
電子機器トレー３０は紫外線Ｕを透過可能な材料で形成されている。より詳細には、電子機器トレー３０は、棚板２０よりも紫外線Ｕの透過率が高い材料で形成されている。本実施形態において、紫外線Ｕの透過率が高い材料とは紫外線Ｕの透過率が例えば８０％以上の材料である。電子機器トレー３０は、例えばアクリル樹脂等により形成されている。
【００４１】
（収納什器の使用方法）
以下、図２及び図３に基づいて、収納什器１００の使用方法について説明する。
収納什器１００は、複数の電子機器Ｄを各第２空間Ｓ２に１個ずつ配置される。電子機器Ｄを使用する際、電子機器Ｄの使用者は、第１開閉部１４を開き、電子機器Ｄを取り出す。電子機器Ｄの使用が終わると、使用者は、収納什器１００内に電子機器Ｄを再度収納する。その後、収納什器１００は、教室や会議室の隅等、人の通行の妨げとなる場所に移される。
収納什器１００に収納された電子機器Ｄは、充電器５によって充電される。充電器５は、例えば収納什器１００内に収納される複数の電子機器Ｄをグループ化して、グループごとに輪番に電子機器Ｄの充電を行う。充電器５は、複数の電子機器Ｄをグループ化せずに、全ての電子機器Ｄを一括して充電してもよい。
【００４２】
以下、収納什器１００を用いた電子機器Ｄの殺菌方法について説明する。
図２及び図３に示すように、収納什器１００の使用者は、収納什器１００内に電子機器Ｄを収納した状態で、紫外線照射部５２を点灯させ、電子機器Ｄに紫外線を所定の時間照射する。電子機器Ｄに紫外線Ｕを照射するタイミングは、適宜変更可能である。紫外線Ｕを照射するタイミングとしては、電子機器Ｄの充電中に紫外線Ｕを照射してもよいし、電子機器Ｄの輪番充電前に紫外線Ｕを照射する紫外線照射期間（例えば１０分間）を設けてもよいし、全ての電子機器Ｄの充電が終了した後に紫外線Ｕを照射してもよいし、電子機器Ｄの充電中は常に紫外線Ｕを照射してもよい。また、収納什器１００に、第１開閉部１４及び第２開閉部１５の開閉を検知する検知手段を設けてもよい。この場合、検知手段が第１開閉部１４及び第２開閉部１５の少なくともいずれかの開放を検知した場合に、紫外線照射部５２が消灯されるようにしてもよい。
【００４３】
紫外線Ｕは、紫外線照射部５２から放射状に放出される。紫外線Ｕの一部は、電子機器Ｄに直接照射される。また、紫外線Ｕの他の一部は、配線トレー４０や棚板２０で反射され、又は電子機器トレー３０を透過する等して、電子機器Ｄに照射される。電子機器Ｄは、紫外線Ｕが照射されることにより、十分に殺菌される。
なお、収納什器１００の外側に向けて放出された紫外線Ｕは、筐体１０の内側面よって遮られる。
【００４４】
紫外線照射部５２が劣化した場合、古い紫外線照射部５２を新しいものに交換する必要がある。収納什器１００の使用者は、第２開閉部１５を開いて第２開口Ｋ２を開放する。その後、使用者は、古い紫外線照射部５２を第２開口Ｋ２から取り出し、新しい紫外線照射部５２をホルダ５１のソケット５１ａに取り付ける。紫外線照射部５２の交換が終了すると、使用者は、第２開閉部１５を閉じて第２開口Ｋ２を閉塞する。
【００４５】
上述の実施形態によれば、以下の作用及び効果が得られる。
本実施形態では、収納什器１００は、棚板２０と、電子機器トレー３０と、を備えている。棚板２０は、収納空間Ｓを上下方向に区画して第１空間Ｓ１を形成する。電子機器トレー３０は、第１空間Ｓ１を左右方向に区画して複数の第２空間Ｓ２を形成する。これにより、各第２空間Ｓ２に電子機器Ｄを収納することで、収納空間Ｓに多くの電子機器Ｄを整理して収納できる。
収納什器１００は、筐体１０内に設けられ、収納空間Ｓに紫外線Ｕを放出する紫外線照射部５２を備えている。この構成によれば、第２空間Ｓ２に電子機器Ｄが配置された状態で、紫外線照射部５２から紫外線Ｕを放出させることで、電子機器Ｄに紫外線Ｕが照射される。これにより、収納空間Ｓに収納された電子機器Ｄを殺菌できるので、電子機器Ｄを衛生に保管できる。
紫外線照射部５２は、第１空間Ｓ１において複数の第２空間Ｓ２に左右方向にまたがって配置されている。これにより、紫外線照射部５２は、少なくとも１つの第１空間Ｓ１について、複数の第２空間Ｓ２に配置された電子機器Ｄに対して効率的に紫外線Ｕを照射できる。
以下、紫外線Ｕの放出方向は、紫外線照射部５２から直接放射状に放出される紫外線Ｕの進行方向のみならず、筐体１０内で反射された紫外線Ｕの進行方向も含むものとする。
【００４６】
本実施形態では、紫外線照射部５２は、電子機器Ｄが収納される第１空間Ｓ１ごとに設けられている。この構成によれば、各第１空間Ｓ１に設けられた紫外線照射部５２から紫外線Ｕを放出させることで各第１空間Ｓ１に対して紫外線Ｕを効率的に行き渡らせることができる。したがって、本実施形態の収納什器１００では、第１空間Ｓ１を形成するために棚板２０が設けられた場合であっても、各第１空間Ｓ１に収納された電子機器Ｄに紫外線Ｕを均一に照射できる。よって、収納什器１００は、電子機器Ｄをより確実に殺菌できるので、電子機器Ｄをより衛生に保管できる。
【００４７】
本実施形態では、棚板２０は、電子機器トレー３０よりも紫外線Ｕの反射率が高い材料で形成され、電子機器トレー３０は、棚板２０よりも紫外線Ｕの透過率が高い材料で形成されている。この構成によれば、紫外線照射部５２から放出された紫外線Ｕは、電子機器トレー３０を透過する。これにより、収納什器１００は、第２空間Ｓ２に配置された電子機器Ｄのうち、紫外線Ｕの放出方向から見て電子機器トレー３０と重なる部分に対しても紫外線Ｕを照射できる。
また、本実施形態によれば、紫外線照射部５２から放出された紫外線Ｕは、棚板２０の表面で反射される。これにより、収納什器１００は、例えば電子機器トレー３０を透過して棚板２０に到達した紫外線Ｕを再び第１空間Ｓ１に戻すことができる。したがって、収納什器１００は、電子機器Ｄのうち棚板２０と対向する面等にも紫外線Ｕを照射できる。
よって、紫外線Ｕの死角となる部分を考慮しなくてもいいので、電子機器トレー３０の寸法設定を自由に行える。この場合、例えば電子機器トレー３０が電子機器Ｄを安定して支持できるように、電子機器トレー３０を設計できる。
【００４８】
本実施形態では、棚板２０は、電子機器トレー３０よりも紫外線Ｕの反射率が高い材料で形成され、電子機器トレー３０には、底板３１を貫通する貫通孔３１ａが形成されている。この構成によれば、紫外線照射部５２から放出された紫外線Ｕは、貫通孔３１ａを通して底板３１を通過し、棚板２０の表面で反射される。棚板２０の表面で反射された紫外線Ｕは、電子機器Ｄに照射される。これにより、収納什器１００は、電子機器Ｄに直接照射されなかった紫外線Ｕを電子機器Ｄに照射できる。
電子機器トレー３０には、側壁３４を貫通する貫通孔３４ａが形成されている。この構成によれば、紫外線照射部５２から放出された紫外線Ｕは、貫通孔３４ａを通して側壁３４を通過して電子機器Ｄに照射される。また、棚板２０の表面で反射された紫外線Ｕの一部は、貫通孔３４ａを透過して、電子機器Ｄに照射される。これにより、収納什器１００は、第２空間Ｓ２に配置された電子機器Ｄのうち、紫外線Ｕの放出方向で電子機器トレー３０と重なる部分に対しても紫外線Ｕを照射できる。
【００４９】
本実施形態では、筐体１０は、第１開口Ｋ１を開閉する第１開閉部１４と、第２開口Ｋ２を開閉する第２開閉部Ｋ２と、を備えている。これにより、収納什器１００は、紫外線Ｕが放出されている間は、第１開口Ｋ１及び第２開口Ｋ２を閉塞して、紫外線Ｕが収納什器１００の外部に漏出することを抑制できる。
紫外線照射部５２は、筐体本体１０ａにおける前後方向の中心に対して第２開口Ｋ２寄りに配置されている。これにより、収納什器１００は、電子機器Ｄが第１開口Ｋ１から出し入れされる際に、電子機器Ｄが紫外線照射部５２に干渉することを抑制できる。また、収納什器１００の使用者は、収納空間Ｓに配置されている電子機器Ｄを取り出すことなく第２開口Ｋ２から紫外線照射部５２を出し入れできる。これにより、収納什器１００の使用者は、紫外線照射部５２を容易にメンテナンスできる。
【００５０】
以上、本考案の好ましい実施形態を説明したが、本考案はこれら実施形態に限定されることはない。本考案の趣旨を逸脱しない範囲で、構成の付加、省略、置換、及びその他の変更が可能である。本考案は上述した説明によって限定されることはなく、添付の特許請求の範囲によってのみ限定される。
【００５１】
上述した実施形態では、筐体本体１０ａ、第１開閉部１４及び第２開閉部１５は、ステンレスによって形成されているとしたが、筐体本体１０ａ、第１開閉部１４及び第２開閉部１５のうち少なくとも内側面が紫外線Ｕを透過しにくい材料で形成されていればよい。収納什器１００は、筐体１０の内側面にアルミニウムで形成された膜を貼り付けることにより、紫外線Ｕの透過を抑制してもよい。
【００５２】
上述した実施形態では、棚板２０が収納空間Ｓを左右方向全体にわたって上下方向に区画しているとしたが、棚板２０は、上下方向に交差するように収納空間Ｓの一部に配置されていてもよい。
【００５３】
上述した実施形態では、棚板２０は電子機器トレー３０よりも紫外線Ｕの反射率が高い材料で形成されているとしたが、棚板２０は、少なくとも表面が電子機器トレー３０よりも紫外線Ｕの反射率が高い材料で形成されていればよい。
【００５４】
上述した実施形態では、棚板２０及び上段棚板２１が紫外線Ｕを反射可能な材料で形成され、電子機器トレー３０が紫外線Ｕを透過可能な材料で形成されているとしたが、これに限られない。電子機器トレー３０が紫外線Ｕを反射可能な材料で形成され、棚板２０及び上段棚板２１が紫外線Ｕを透過可能な材料で形成されてもよい。棚板２０、上段棚板２１及び電子機器トレー３０は、ともに紫外線Ｕを反射可能な材料で形成されてもよい。この場合、収納什器１００は、紫外線Ｕを棚板２０、上段棚板２１及び電子機器トレー３０の表面で反射させ、収納空間Ｓに対して効率的に行き渡らせることができる。棚板２０、上段棚板２１及び電子機器トレー３０は、ともに紫外線Ｕを透過可能な材料で形成されてもよい。この場合、紫外線Ｕは、棚板２０、上段棚板２１及び電子機器トレー３０を透過するため、収納什器１００は、収納空間Ｓに対して紫外線Ｕを効率的に行き渡らせることができる。
【００５５】
上述した実施形態では、電子機器トレー３０は、第１空間を左右方向に区画しているとしたが、電子機器トレー３０は、第１空間Ｓ１を上下方向に交差する方向に区画していればよい。第１開口Ｋ１及び第２開口Ｋ２は、平面視で（上下方向から見て）前後方向に開口しているとしたが、これに限られない。第１開口Ｋ１及び第２開口Ｋ２は、電子機器トレー３０が第１空間Ｓ１を区画する方向に交差する方向に開口していればよい。
【００５６】
上述した実施形態では、棚板２０の後端部は、第２開閉部１５から前方に離間しているとしたが、棚板２０の後端部は、第２開閉部１５と接していてもよい。この場合、電子機器トレー３０の前端部及び後端部は、それぞれ第１開閉部１４及び第２開閉部１５と接していてもよい。
【００５７】
上述した実施形態では、請求項における仕切り部材は、上方に開口する箱状の電子機器トレー３０であるとしたが、仕切り部材は、棚板２０に配置される仕切り板（不図示）であってもよい。この場合、仕切り板は、仕切り板の上下に位置する棚板２０それぞれに接するように設けられてもよい。本実施形態では、電子機器Ｄは電子機器トレー３０の底板３１を介して棚板２０に載置されていたが、この場合、電子機器Ｄは棚板２０に直接載置されてもよい。
【００５８】
上述した実施形態では、電子機器トレー３０の貫通孔３１ａは、底板３１に設けられているとしたが、側壁３４以外の周壁３２や仕切り板３５に貫通孔が設けられていてもよい。この場合、収納什器１００は、棚板２０の表面で反射された紫外線Ｕを、側壁３４以外の周壁３２や仕切り板３５の貫通孔を通過させて電子機器Ｄに照射できる。これにより、収納什器１００は、第２空間Ｓ２に配置された電子機器Ｄのうち、紫外線Ｕの放出方向で電子機器トレー３０と重なる部分に対しても紫外線Ｕを照射できる。
【００５９】
上述した実施形態では、紫外線照射部５２は、各第１空間Ｓ１内において、棚板２０の上方かつ後方に配置されているとしたが、紫外線照射部５２の配置は適宜変更可能である。紫外線照射部５２は、各第１空間Ｓ１内において、棚板２０の真上に配置されてもよい。紫外線照射部５２は、各電子機器トレー３０の真後に配置されてもよい。
【００６０】
上述した実施形態では、紫外線照射部５２は、連通空間Ｓ３において電子機器Ｄが収納される第１空間Ｓ１ごとに設けられているとしたが、これに限られない。紫外線照射部５２は、収納空間Ｓ内の任意の位置に１個又は複数設けられてもよい。例えば紫外線照射部５２は、第１空間Ｓ１自体にそれぞれ設けられていてもよく、上段棚板２１の上方空間に第１空間Ｓ１と隔てられて設けられていてもよい。この場合、棚板２０、上段棚板２１及び電子機器トレー３０がともに紫外線Ｕを透過可能な材料で形成されていれば、紫外線照射部５２が第１空間Ｓ１に連通してない場所に配置されている場合であっても、第１空間Ｓ１に配置された電子機器Ｄに対して紫外線Ｕを照射できる。
【００６１】
その他、本考案の趣旨を逸脱しない範囲で、上述した実施形態における構成要素を周知の構成要素に置き換えることは適宜可能であり、また、上述した各変形例を適宜組み合わせてもよい。
【符号の説明】
【００６２】
１０…筐体
１０ａ…筐体本体
１４…第１開閉部
１５…第２開閉部
２０…棚板
３０…電子機器トレー（仕切り部材）
３１ａ…貫通孔
３４ａ…貫通孔
５２…紫外線照射部
Ｄ…電子機器
Ｋ１…第１開口
Ｋ２…第２開口
Ｓ…収納空間
Ｓ１…第１空間
Ｓ２…第２空間
Ｕ…紫外線
【図１】
0003229789.tif 000003
【図２】
0003229789.tif 000004
【図３】
0003229789.tif 000005
【図４】
0003229789.tif 000006